(57)【要約】      （修正有）【課題】素早く入力方式を切り替えるとともに、入力内容の確認がしやすく、文字入力の効率を上げ、打ち間違いを減らすことができる、キーボードの文字表示装置を提供する。【解決手段】複数のキーを有するキーボード本体１ａと、キーボード本体に結合した表示モジュール３ａと、キー及び表示モジュールと合わせて作動する処理モジュールとからなる。表示モジュールには、発光モジュール５ａが設けられ、キーボード本体には、入力方式を切り替える切り替えキー４ａが設けられる。データ処理装置に連結して使用する際、使用者がキーを押して入力方式を変えると、それと同時に表示モジュールに表示された文字及び発光モジュールの色が変化する。また、使用者は表示モジュールを入力内容を確かめやすい角度に調整することができる。【選択図】図８
0003185810.tif 000002
【実用新案登録請求の範囲】
【請求項１】
キーボード本体と、表示モジュールと、処理モジュールとからなる、キーボードの文字表示装置であって、
前記キーボード本体には、入力操作用の複数のキーが設けられ、
前記表示モジュールは、前記キーボード本体に結合するとともに入力データを表示し、
前記処理モジュールは、前記キー及び前記表示モジュールと連結して作動し、表示処理を行うことを特徴とする、キーボードの文字表示装置。
【請求項２】
前記表示モジュールは、少なくとも一種の文字記号を表示するとともに、複数行の表示スペースを有することを特徴とする、請求項１に記載のキーボードの文字表示装置。
【請求項３】
前記表示モジュールは、さらに角度を変える角度調整構造を備えることを特徴とする、請求項１に記載のキーボードの文字表示装置。
【請求項４】
前記表示モジュールと前記キーボード本体の間は夾角を呈し、前記夾角の角度は鈍角、あるいは直角であることを特徴とする、請求項１に記載のキーボードの文字表示装置。
【請求項５】
前記表示モジュール内には発光モジュールが設けられ、
前記発光モジュールは、少なくとも一種の光色を発することを特徴とする、請求項１に記載のキーボードの文字表示装置。
【請求項６】
前記キーボード本体には、さらに入力方式を切り替える切り替えキーが設けられることを特徴とする、請求項１に記載のキーボードの文字表示装置。
【考案の詳細な説明】
【技術分野】
【０００１】
本考案はキーボードの文字表示装置に関し、特に入力内容の確認がしやすく、文字入力の効率を上げ、打ち間違いを減らし、素早く入力方式を切り替えることができる、キーボードの文字表示装置に関する。
【背景技術】
【０００２】
キーボードは、データ入力や、データ処理装置に表示や処理を指示するといった、種々の異なる操作のために用いられており、人々の生活において欠かせない製品の一つとなっている。
【０００３】
キーボード上のキーを押すと、データ処理装置がそれに対応した動作を行う。異なる入力方式に切り替える時は、キーボード上の複数のキーを同時に押す。入力終了後は、データ処理装置に連結したディスプレイを確認することにより、正しく入力されたか確かめる。
【０００４】
しかし、上述した従来のキーボードには、改善が望まれる以下の問題と欠点がある。
１、入力時の打ち間違いに気づかない可能性があるため、重複確認に無駄な時間を費やすことになる。また、頻繁に顔を上げ下げして、入力文字や変換候補選択、入力方式が正しいかを確認しなくてはならない。
２、入力時に選択されている入力方式がすぐには分からないため、入力した後に入力方式が正しく選択されているかを確かめる、あるいは、モニター下部の入力方式表示によって確かめなければならない。
３、入力方式を切り替える時、複数のキーを同時に押さなければならないため、切り替えの失敗、使用効率の低下といった事態を招く。
【考案の概要】
【考案が解決しようとする課題】
【０００５】
そこで、本考案は、キーボード本体に表示モジュールが設けることにより、データ入力時に頻繁に顔を上げ下げしてディスプレイを確認する必要がなく、キーボード本体の表示モジュールによって入力内容を知ることができるとともに、発光モジュールが発する異なる色から、それぞれの色に対応した入力方式が明確に分かり、入力前に入力方式が正しいかを確かめることができる、キーボードの文字表示装置を提供することを目的とする。以上の技術によって、入力内容が分からず、頻繁に頭を上げ下げする必要があるといった従来技術における問題点を解消することができるので、容易な入力内容確認及び効率向上といった実用的進歩性が達成される。
【０００６】
また、本考案は、キーボード本体に切り替えキーが設けられることにより、切り替えキーを押して素早く入力方式を切り替えることができる、キーボードの文字表示装置を提供することを目的とする。以上の技術によって、キーの組み合わせによって入力方式を切り替えなければならないという従来技術における問題点を解消し、入力方式の素早い切り替え、入力方式切り替えの失敗減少及び効率向上といった実用的進歩性を達成する。
【課題を解決するための手段】
【０００７】
上述の目的を達成するために、本考案のキーボードの文字表示装置は、キーボード本体と、複数のキー及び発光モジュールが設けられた表示モジュールとからなる。前記キーと、前記表示モジュールと、前記発光モジュールは、処理モジュールと連結して作動する。
【０００８】
以上の構造によって、操作時に、予め表示モジュールの角度を確認しやすい位置に調整しておき、切り替えキーを押して入力方式を変え、キーによって内容を入力することができる。入力内容は表示モジュールに表示されるため、頻繁に頭を上げ下げしてディスプレイの内容が正確かどうか確かめる必要がなくなり、使用者の身体的負担が減少する。また同時に、容易な入力内容確認、文字打ちの効率向上、打ち間違えの減少、素早い入力方式切り換えといった実用的進歩性が達成される。
【図面の簡単な説明】
【０００９】
【図１】本考案の実施例を示した斜視図である。
【図２】本考案の実施例の構造を示したブロック図である。
【図３】本考案の実施例における角度調整の様子を示した概略図である。
【図４】本考案の実施例における文字切り替えの様子を示した概略図（一）である。
【図５】本考案の実施例における文字切り替えの様子を示した概略図（二）である。
【図６】本考案の実施例における文字切り替えの様子を示した概略図（三）である。
【図７】本考案のもう一つの実施例の斜視図である。
【図８】本考案のもう一つの実施例における入力方法切り替えの様子を示した概略図である。
【図９】本考案のもう一つの実施例における発光モジュールの作動を示した概略図である。
【考案を実施するための形態】
【００１０】
図１、図２を参照する。図は、本考案の実施例の斜視図と、その構造を示したブロック図である。図に示したように、本考案は、キーボード本体１と、表示モジュール３と、処理モジュール２とからなる。キーボード本体１には、入力操作用の複数のキー１１が設けられる。表示モジュール３は、キーボード本体１に結合するとともに入力データを表示する。処理モジュール２は、キー１１及び表示モジュール３と連結して作動し、表示処理を行う。
【００１１】
（実施例１）
図１、図２、図３、図４、図５、図６を参照する。図はそれぞれ、本考案の実施例の斜視図と、構造を示したブロック図と、角度調整の様子を示した概略図と、文字切り替えの様子を示した概略図（一）と、文字切り替えの様子を示した概略図（二）と、文字切り替えの様子を示した概略図（三）である。図に示したように、本考案を使用する際は、キーボード本体１とデータ処理装置６を連結してから操作する。使用時には、まず、キーボード本体１上の表示モジュール３の角度を使用者に適した角度（鈍角、あるいは直角）に調整する。表示モジュール３の表示により、入力内容を容易に確認できるので、文字打ちの効率が向上し、打ち間違いが減少する。また、入力時の内容と入力方式が明確に分かる。入力時、文字はディスプレイ６１に表示されるほか、表示モジュール３の表示スペース３１にも同時に表示される。一つ目の文字を入力した時、一行目の表示スペース３１には入力された文字が表示され、二行目の表示スペース３１には入力された文字に関連する文字が表示される。ここで「関連する文字」について説明する。選択されている入力方式は注音入力方式（台湾で使用される中国語入力方式の一つ）である。キーで「
0003185810.tif 000003
（ｇａｏ）」と入力した場合、表示モジュール３における一行目の表示スペース３１には「高」と表示され、二行目の表示スペース３１には「高」に関連する文字（例えば、「大」、「樓（日本語の楼）」、「貴」）が表示される。表示されている「高」が選択したい候補でない場合、キー１１（例えば、方向キー↓）を押して、正しい変換候補の文字を選択する。例えば、「高」を「膏」（中国語で「高」と同音）に変える時、一行目の表示スペース３１には「膏」と表示され、二行目の表示スペース３１には「膏」に関連する文字（例えば「藥（日本語の薬）」、「状」）が表示される。以上の構造と作動方法によって、分かりやすい文字表示、容易な入力内容の確認といった本考案の優位性が発揮される。
【００１２】
（実施例２）
図７、図８、図９を参照する。図はそれぞれ、本考案のもう一つの実施例の斜視図と、入力方法切り替えの様子を示した概略図と、発光モジュールの作動を示した概略図である。図に示したように、キーボード本体１ａには前述の構造のほかに、入力方式を切り替える切り替えキー４ａが設けられる。また、表示モジュール３ａには発光モジュール５ａが設けられる。この状態の時、使用者は元々のキーによって入力方式を切り替えるほかに、切り替えキー４ａによって操作することもできるので、入力方式の素早い切り替えという目的が達成される。加えて、使用者は表示モジュール３ａに表示された内容から入力方式を知ることができるほか、発光モジュール５ａに表示された色からも入力方式が分かる。入力方式を切り換える度に、発光モジュール５ａは、異なる入力方式に対応した色に変わる。これにより、使用者が選択されている入力方式を明確に知ることができ、容易な入力内容確認、文字打ちの効率向上、打ち間違えの減少、素早い入力方式切り換えといった実用的進歩性が達成される。
【００１３】
以上の構造により、本考案のキーボードの文字表示装置は、従来技術を以下の点において改善することができる。
１、キーボード本体１上の表示モジュール３によって、頻繁に顔を上げ下げして入力内容が正しいかを確認する必要がなくなり、身体的負担を大幅に減少させることができる。また、打ち間違いに気づかず、一定時間打ち続けた後に、無駄な時間を費やして打ち間違えた箇所を直すといった事態を回避できる。以上により、容易な入力内容確認、文字打ちの効率向上、打ち間違い訂正の減少といった実用的進歩性が達成される。
２、キーボード本体１ａ上の切り替えキー４ａによって、素早く入力方式を切り替えることができるとともに、表示モジュール３ａに設けられた発光モジュール５ａが入力方式に対応した色を示すことによって入力方式が明確に分かるので、明確且つ利便性の高い使用が可能になる。
３、以上のような素早く入力方式を識別する方法によって、データ入力の効率を向上させて人々の役に立つという本考案の優位性が発揮される。
【符号の説明】
【００１４】
１            キーボード本体
１ａ   キーボード本体
１１   キー
２            処理モジュール
３            表示モジュール
３ａ   表示モジュール
３１   表示スペース
４ａ   切り替えキー
５ａ   発光モジュール
６            データ処理装置
６１   ディスプレイ
【図１】
0003185810.tif 000004
【図２】
0003185810.tif 000005
【図３】
0003185810.tif 000006
【図４】
0003185810.tif 000007
【図５】
0003185810.tif 000008
【図６】
0003185810.tif 000009
【図７】
0003185810.tif 000010
【図８】
0003185810.tif 000011
【図９】
0003185810.tif 000012